(57)【要約】【課題】本発明は、扉のヒンジ構造に関し、従来の扉のヒンジ構造において、隙間の調節が簡単にできないことがことが課題であって、それを解決することである。【解決手段】扉２を回転自在に支持するヒンジを、扉用開口部の枠体に取り付け・固定される取付ベース５に前記ヒンジのピン６を有したヒンジ位置調節板７を前記ヒンジ３の軸心方向と直交する方向に移動手段により移動自在に支持させることで、前記扉２を水平面内で開閉させる場合にその水平方向に移動可能にして位置調整できるようにした扉のヒンジ構造１とするものである。【選択図】図１
2010242441.tif 000002
【特許請求の範囲】
【請求項１】
扉を回転自在に支持するヒンジを、扉用開口部の枠体に取り付け・固定される取付ベースに前記ヒンジのピンを有したヒンジ位置調節板を前記ヒンジの軸心方向と直交する方向に移動手段により移動自在に支持させることで、前記扉を水平面内で開閉させる場合にその水平方向に移動可能にして位置調整できるようにしたこと、
を特徴とする扉のヒンジ構造。
【請求項２】
ヒンジを扉の上・下に設けて扉を支持させることで、扉の平面内で回転できるようにしたこと、
を特徴とする請求項１に記載の扉のヒンジ構造。
【請求項３】
移動手段は、取付ベース側に設けられたネジ孔と、このネジ孔に螺合する調節ネジと、該調節ネジを回転自在で且つ移動しないように保持するヒンジ位置調節板のネジ取付部とで構成されていること、
を特徴とする請求項１または２に記載の扉のヒンジ構造。
【発明の詳細な説明】
【技術分野】
【０００１】
本発明は、例えばロッカー，郵便受け箱，簡易金庫，宅配用ボックス等における、扉のヒンジ構造に関するものである。
【背景技術】
【０００２】
従来、扉のヒンジ構造は、ヒンジ本体部およびヒンジ回動部のピン孔にヒンジピンを挿入してヒンジブロックを形成し、ヒンジ本体部を箱体側に固定ボルトにより取り付けた後、ヒンジ回動部にガイドフレームを介して扉を固定ボルトにより固定して、扉の取付け時の際に、ヒンジピン通しを必要としなく、容易に組み立てられるものが知られている（特許文献１参照）。
【先行技術文献】
【特許文献】
【０００３】
【特許文献１】特開平０７−２５２９７３号公報
【発明の概要】
【発明が解決しようとする課題】
【０００４】
しかし、従来の扉のヒンジ構造では、マンション等の宅配ロッカーのような多数の扉が配列される様な場合に、扉同士の隙間の目地が不揃いとなることが多く、外観上見栄えが悪く、簡単に目地を調整することが困難である。本発明に係る扉のヒンジ構造は、このような課題を解決するために提案されたものである。
【課題を解決するための手段】
【０００５】
本発明に係る扉のヒンジ構造の上記課題を解決して目的を達成するための要旨は、扉を回転自在に支持するヒンジを、扉用開口部の枠体に取り付け・固定される取付ベースにヒンジのピンを有した支持金具を移動自在に支持させることで、前記扉を水平面内で開閉させる場合にその水平方向に移動可能にして位置調整できるようにしたことである。
更に、上記ヒンジを扉の上下２箇所に取り付けて、それを左右方向へ異なる移動量で調節することで、扉を扉用開口部において扉面内で回転させることができ、扉廻りの隙間を調節できるようになる。
【発明の効果】
【０００６】
本発明の扉のヒンジ構造によれば、扉の位置を移動させて扉用開口部と扉との隙間を調節できるので、容易な操作で外観上の見栄えを良くすることができる。扉の上下にそれぞれ水平方向に移動可能なヒンジを備えることで、扉をその平面内で回転させることができるようになり、高度な隙間調整が可能となる。
【図面の簡単な説明】
【０００７】
【図１】本発明に係る扉のヒンジ構造１の一部を平面視した断面図である。
【図２】同本発明の扉のヒンジ構造１を構成する取付ベース５と支持金具７とを分解して示す斜視図（Ａ）と、組み上げた状態の斜視図（Ｂ）と、取付ベース５の一部を拡大して示す斜視図（Ｃ）と、同取付ベース５の一部側面図（Ｄ）である。
【図３】本発明に係るヒンジ構造１の実施例に係る平面視した断面図である。
【図４】同実施例の一部正面図（Ａ）と、一部側面図（Ｂ）とである。
【発明を実施するための形態】
【０００８】
本発明に係る扉のヒンジ構造は、図１に示すように、ヒンジピンを有した調節支持部材を開口部の枠体側の取付ベースに、例えば螺子機構により水平方向に移動自在に支持させるものである。
【実施例１】
【０００９】
前記ヒンジ構造１は、図１乃至図２に示すように、扉２を回転自在に支持するヒンジ３を、扉用開口部の枠体４に取り付け・固定される取付ベース５に、ヒンジのピン６を固定して支持するヒンジ位置調節板７を移動自在に支持させて、構成している。
【００１０】
前記取付ベース５は、図１乃至図２に示すように、例えばボックスの開口部の取付壁面４ａに取り付ける固定板５ａに固定用ボルトを挿通させる取付孔５ｂが設けられ、上端部には前記枠体４ａの位置決め孔に係合させる係合爪５ｃが直交し屈曲されて設けられている。
【００１１】
前記固定板５ａ側端部から直交して屈曲された調整支持板５ｄは、その上下端部にコの字に屈曲されたガイド板５ｅ，５ｅが設けられ、このガイド板５ｅのそれぞれに、ガイド突起５ｆが形成されている。図２（Ｄ）に示すように、前記調整支持板５ｄの側面と、前記ガイド突起５ｆ，５ｆとの間にガイド溝が上下において夫々形成されるものである。
【００１２】
前記調整支持板５ｄの下部には、前記ヒンジ位置調節板７を固定するネジ孔５ｇが設けられている。また、この調整支持板５ｄの側端部における中央部から直交させて調整板５ｈが延設され、その一部に廻止め部５ｊが設けられ、調節用ネジ孔５ｋが設けられている。
【００１３】
前記取付ベース５に支持され水平方向に位置調節されるヒンジ位置調節板７は、四角形状の所要幅の板の端部７ａにヒンジピン６を内側に巻き付けて上下方向に圧入によって固定する受け部が形成され、全体コ字型の中央板部７ｂに調節ネジ用の孔７ｃが設けられ、そこに、調節ネジ８が外側から内側へと挿通されるとともに、抜止め輪８ａが中央板部７ｂを挟んで胴部側に取り付けられている。このネジ取付部により、調節ネジ８が、回転自在で且つ軸線方向に移動しないように保持されて、ヒンジ構造１における移動手段の一実施例となるものである。
【００１４】
前記中央板部７ｂの側端部から直交して屈曲された固定用板部７ｄには、廻止め用長孔７ｅと、固定ネジ用長孔７ｆが設けられている。前記長孔７ｅに前記廻止め部５ｊが遊嵌され、前記長孔７ｆとネジ孔５ｇが位置的に対応して、固定ネジ９が挿通して螺着されるものである。
【００１５】
図２（Ｂ）に示すように、前記取付ベース５に前記ヒンジ位置調節板７が前記上下のガイド溝を介して装着され、調整ネジ８で調整された後に、仮止めの固定ネジ９が本締めされるものである。なお、ヒンジのピン６は、図１に示す扉２側の上下２箇所のヒンジ軸受け部２ａに挿入されるものである。
【００１６】
このヒンジ構造１を使用した実施例を図３乃至図４に示す。図３は、開閉する扉２を上から見た図である。枠体４の開口部の左右の隙間ａ，ｂが偏っている場合に調節するものである。前記扉２には、戻しアーム１０があって、その先端部１０ａが係合されている。この戻しアーム１０は、回転軸に取り付けてあるトーションバネ１１によって、常に扉２を閉方向に回転させるように付勢されている。なお、図中に符号１２にて示すものは外からヒンジ構造１内部が見えるのを防ぐカバーである。
【００１７】
前記隙間ａ，ｂがどちらか一方に偏っている場合には、孔７ｃに回転自在にされ且つ左右方向に移動しないように取り付けられる調整ネジ８をドライバーなどで回して、螺合している調節用ネジ孔５ｋを左右方向に沿っていずれかに移動させる。これにより、調整板５ｈおよび廻止め部５ｊとともにヒンジ位置調節板７が同じ方向に移動するので、ヒンジ構造１のピン６も移動することになる。こうして、左右の隙間ａ，ｂがほぼ均等になるように扉２が位置調整される。その後、固定ネジ９をドライバーで本締めするものである。
【００１８】
また、図４（Ａ）に示すように、扉の上下にそれぞれ水平方向に移動可能なヒンジ１，１を備えることで、調節の移動量を変えることで、扉をその平面内で（扉の厚さ方向の軸心廻りに）回転させることができるようになる。よって、単に左右の隙間調節では対応できないような、上下の隙間も含めた高度な隙間調整が可能となる。
【産業上の利用可能性】
【００１９】
本発明に係る扉のヒンジ構造１は、種々の扉において、開口部の左右の隙間を調節することができる。
【符号の説明】
【００２０】
１          扉のヒンジ構造、
２          扉、                  ２ａ        ヒンジ軸受部、
３          ヒンジ、
４          枠体、                ４ａ        取付壁面、
５          取付ベース、          ５ａ        固定板、
５ｂ        取付孔、              ５ｃ        係合爪、
５ｄ        調整支持板、          ５ｅ        ガイド板、
５ｆ        ガイド突起、          ５ｇ        ネジ孔、
５ｈ        調整板、              ５ｊ        廻止め部、
５ｋ        調節用ネジ孔、  
６          ヒンジピン、                
７          ヒンジ位置調節板、    ７ａ        端部、
７ｂ        中央板部、            ７ｃ        孔、
７ｄ        固定用板部、          ７ｅ        廻止め用長孔、
７ｆ        固定ネジ用長孔、  
８          調節ネジ、
９          固定ネジ、
１０        戻しアーム、  
１１        トーションバネ、
１２        カバー。
【図１】
2010242441.tif 000003
【図２】
2010242441.tif 000004
【図３】
2010242441.tif 000005
【図４】
2010242441.tif 000006